(57)【要約】【課題】発振範囲が比較的狭いＶＣＯを用いて、該発振範囲より広い周波数範囲のチャネルクロックを生成し、光ディスク最内周から最外周までを間断なく情報再生可能な光ディスク装置ならびにクロック生成回路を提供する。【解決手段】第１クロック生成手段３５ａ、３６ａ、３７ａは、入力信号ＳＩＧに対して位相同期した第１同期クロックＣＫ１を、第１周波数範囲において生成可能である。第２クロック生成手段３５ｂ、３６ｂ、３７ｂは、前記入力信号に対して位相同期した第２同期クロックＣＫ２を、前記第１周波数範囲と重複する範囲を有する第２周波数範囲において生成可能である。選択手段４１は、前記第１同期クロックＣＫ１及び前記第２同期クロックＣＫ２のうち一方の同期クロックを選択する。制御手段４０は前記入力信号の周波数を検出し、検出した周波数に応じて、前記一方の同期クロックを選択するための制御信号ＳＬＳ４を生成し前記選択手段に提供する。【選択図】図５
2007035096.tif 000002
【特許請求の範囲】
【請求項１】
入力信号に対して位相同期した第１同期クロックを、第１周波数範囲において生成可能な第１クロック生成手段と、
前記入力信号に対して位相同期した第２同期クロックを、前記第１周波数範囲と重複する範囲を有する第２周波数範囲において生成可能な第２クロック生成手段と、
前記第１クロック生成手段により生成された前記第１同期クロック及び前記第２クロック生成手段により生成された前記第２同期クロックのうち一方の同期クロックを選択し、前記入力信号の同期クロックとして提供する選択手段と、
前記入力信号の周波数を検出し、検出した周波数に応じて、前記一方の同期クロックを選択するための制御信号を生成し前記選択手段に提供する制御手段と、
を具備することを特徴とするクロック生成回路。
【請求項２】
前記第１位相同期クロック生成手段は、第１クロック発振手段と、前記第１クロック発振手段にて生成されたクロック信号を分周する第１クロック分周手段とを具備し、
前記第２位相同期クロック生成手段は、第２クロック発振手段と、前記第２クロック発振手段にて生成されたクロック信号を分周する第２クロック分周手段とを具備し、
前記制御手段は前記検出された周波数に応じて、第１分周比選択信号を前記第１クロック分周手段に提供し、前記第１分周比選択信号とは異なる第２分周比選択信号を前記第２クロック分周手段に提供することを特徴とする請求項１記載のクロック生成回路。
【請求項３】
前記第２周波数範囲の最高周波数は前記第１周波数範囲の最高周波数より高く、
前記第２クロック発振手段の発振周波数下限が第１クロック発振手段の発振範囲中心であり、第１クロック発振手段の発振上限が第２のクロック発振手段の発振周波数範囲中心となるように、前記第１及び第２クロック発振手段の発振範囲が設定され、
前記第１及び第２クロック分周手段は、２のべき乗で分周可能であることを特徴とする請求項２記載のクロック生成回路。
【請求項４】
光ディスクにレーザ光を照射し、前記光ディスクを反射したレーザ光を複数の光検知セルにて受光し、複数の光検知信号を提供する光ピックアップと、
前記光検知信号に基づいて、前記光ピックアップから出射されるレーザ光のフォーカスを制御するためのフォーカス制御信号を生成するフォーカス制御回路と、
前記光検知信号に基づいて、前記光ピックアップから出射されるレーザー光のトラッキングを制御するためのトラッキング制御信号を生成するトラッキング制御回路と、
前記光検知信号に基づいて生成される再生信号から、再生用のチャネルクロックを生成するクロック生成回路と、
前記クロック生成回路にて生成された前記チャネルクロックを用いて、前記再生信号からデータを再生するデータ再生回路とを具備する光ディスク装置であって、
前記クロック生成回路は、
前記再生信号に対して位相同期した第１同期クロックを、第１周波数範囲において生成可能な第１位相同期クロック生成手段と、
前記入力信号に対して位相同期した第２同期クロックを、前記第１周波数範囲と重複する範囲を有する第２周波数範囲において生成可能な第２位相同期クロック生成手段と、
前記第１位相同期クロック生成手段により生成された前記第１同期クロック及び前記第２位相同期クロック生成手段により生成された前記第２同期クロックの一方を、入力された制御信号に基づいて選択し、前記入力信号の同期クロックとして提供する選択手段と、
前記再生信号の周波数を検出し、検出した周波数に応じた前記制御信号を前記選択手段に提供する制御手段と、
を具備することを特徴とする光ディスク装置。
【請求項５】
前記第１位相同期クロック生成手段は、第１クロック発振手段と、前記第１クロック発振手段にて生成されたクロック信号を分周する第１クロック分周手段とを具備し、
前記第２位相同期クロック生成手段は、第２クロック発振手段と、前記第２クロック発振手段にて生成されたクロック信号を分周する第２クロック分周手段とを具備し、
前記制御手段は前記検出された周波数に応じて、第１分周比選択信号を前記第１クロック分周手段に提供し、前記第１分周比選択信号とは異なる第２分周比選択信号を前記第２クロック分周手段に提供することを特徴とする請求項４記載のクロック生成回路。
【請求項６】
入力信号に対して位相同期した第１同期クロックを、第１周波数範囲において生成し、
前記入力信号に対して位相同期した第２同期クロックを、前記第１周波数範囲と重複する範囲を有する第２周波数範囲において生成し、
前記生成された第１同期クロック及び第２同期クロックの一方の同期クロックを、入力される制御信号に応じて選択し、前記入力信号の同期クロックとして提供し、
前記入力信号の周波数を検出し、検出した周波数に応じて、前記一方の同期クロックを選択するための前記制御信号を生成することを特徴とするクロック生成方法。
【発明の詳細な説明】
【技術分野】
【０００１】
本発明は、入力信号に位相同期したクロック信号を生成するクロック生成回路に関し、特に光ディスクに対して情報の記録又は再生を行う光ディスク装置に用いられるクロック生成回路に関する。
【背景技術】
【０００２】
光ディスクに記録された情報を再生するには、光ディスクの再生信号に位相同期したチャネルクロックを生成する必要がある。このチャネルクロックは、光ディスクに情報を記録するときに用いられた基準クロック信号の周波数を有するクロック信号であって、このチャネルクロックに同期して情報が再生される。
【０００３】
チャネルクロック生成回路は、一般に位相比較器、ループフィルタ、電圧制御発振器（ＶＣＯ）及び分周器から構成される。光ディスクからの再生信号は位相比較器に入力される。位相比較器には、最終段回路である上記分周器から生成されたチャネルクロックも入力される。位相比較器は再生信号とチャネルクロックの位相を比較し、位相誤差信号を出力する。位相誤差信号はループフィルタに入力される。
【０００４】
ループフィルタは所定の周波数特性をもつフィルタで構成され、入力された位相誤差信号からＶＣＯ制御信号を生成する。ＶＣＯ制御信号はＶＣＯに入力される。ＶＣＯは入力されるＶＣＯ制御信号の電圧に比例した周波数をもつクロックを出力し、そのクロックは分周器に入力される。また、分周器には分周比選択信号がチャネルクロック生成回路の外部から入力される。分周器は分周比選択信号に応じて、ＶＣＯから入力されるクロックを分周してチャネルクロックＣＫを出力する。ＶＣＯの発振周波数範囲と分周器の設定可能な分周比は、想定される再生チャネルレートに適応して設定される。
【０００５】
下記特許文献１には、複数のゾーンを有する光ディスクの情報記録再生に用いられるチャネルクロックを生成する技術が開示されている。この文献による光ディスク装置は、一定周波数の第１クロック信号を生成する第１クロック生成回路と、各ゾーンのデータ記録再生に使用される周波数のクロックに対応した第２クロック信号を生成する第２クロック生成回路と、第１クロック信号に基づいてヘッダー情報を再生するヘッダー情報再生回路と、再生されたヘッダー情報に基づき第２クロック信号の周波数を制御する制御回路とを具備している。
【特許文献１】特許第２５８３６４５号
【発明の開示】
【発明が解決しようとする課題】
【０００６】
ＣＤ−ＲＯＭディスクやＤＶＤ−ＲＯＭディスクは線密度一定で記録されている。これは一般にＣＬＶ(constant liner velocity)記録と呼ばれる。パーソナルコンピュータ用などの光ディスク再生装置では、消費電力の削減やアクセス時間短縮などの目的のために、ディスク回転速度一定のＣＡＶ(constant angular velocity)再生を行う場合がある。
【０００７】
ＣＬＶ記録されたディスクをＣＡＶ再生すると、チャネルレートはディスク内周から外周に向けて徐々に高まっていく。読出し専用のＤＶＤ−ＲＯＭの場合、最外周におけるチャネルレートは最内周の約２．４倍であり、最内周のチャネルレートと最外周のチャネルレートは大きく異なる。ここで、ＣＡＶ再生において最内周から最外周までを間断なく再生しようとすると、ＶＣＯの最高発振周波数を最低発振周波数範囲の２．４倍以上とする必要がある。
【０００８】
このようにＶＣＯの発振範囲を広げるには発振感度を高める必要がある。この発振感度とは、単位入力電圧変化ΔＶに対する発振周波数変化Δｆであって、「Δｆ／ΔＶ」で表すことができる。同一電源電圧では、発振感度の高いＶＣＯほど、発振範囲は広い。発振感度が高いＶＣＯは、感度が低いＶＣＯに比べ、同一レベルのノイズが混入した場合に、出力クロック信号の周波数変動（ジッタ）が大きい。つまりＶＣＯの発振感度を高めると出力クロックのジッタが大きくなり、光ディスク装置の再生性能が劣化するという問題がある。
【０００９】
本発明は、発振範囲が比較的狭いＶＣＯを用いて、該発振範囲より広い周波数範囲のチャネルクロックを生成し、光ディスク最内周から最外周までを間断なく情報再生可能な光ディスク装置ならびにクロック生成回路を提供することを目的としている。
【課題を解決するための手段】
【００１０】
本発明の１実施例に係るクロック生成回路は、入力信号に対して位相同期した第１同期クロックＣＫ１を、第１周波数範囲において生成可能な第１クロック生成手段と、前記入力信号に対して位相同期した第２同期クロックＣＫ１を、前記第１周波数範囲と重複する範囲を有する第２周波数範囲において生成可能な第２クロック生成手段と、前記第１クロック生成手段により生成された前記第１同期クロックＣＫ１及び前記第２クロック生成手段により生成された前記第２同期クロックＣＫ２の一方の同期クロックを選択し、前記入力信号の同期クロックとして提供する選択手段と、前記入力信号の周波数を検出し、検出した周波数に応じて、前記一方の同期クロックを選択するための制御信号を生成し前記選択手段に提供する制御手段とを具備する。
【発明の効果】
【００１１】
発振範囲が比較的狭いＶＣＯを用いて、該発振範囲より広い周波数範囲のチャネルクロックを生成し、光ディスク最内周から最外周までを間断なく情報再生可能な光ディスク装置ならびにクロック生成回路を提供することができる。
【発明を実施するための最良の形態】
【００１２】
以下、図面を参照しながら本発明による実施の形態について説明する。
【００１３】
図１は本発明が適用される光ディスク装置の構成例を示すブロック図である。
【００１４】
光ディスク６１は読出し専用の光ディスクあるいはユーザデータを記録可能な光ディスクである。ディスク６１はスピンドルモータ６３によって回転駆動される。光ディスク６１に対する情報の記録、再生は、光ピックアップヘッド（以下ＰＵＨと記載）６５によって行われる。ＰＵＨ６５は、スレッドモータ６６とギアを介して連結されており、このスレッドモータ６６はスレッドモータ制御回路６８により制御される。
【００１５】
スレッドモータ制御回路６８には、ＣＰＵ９０からＰＨＵ６５のシーク先アドレスが入力され、このアドレスに基づいてスレッドモータ制御回路６８はスレッドモータ６６を制御する。スレッドモータ６６内部に永久磁石が固定されており、駆動コイル６７がスレッドモータ制御回路６８によって励磁されることにより、ＰＵＨ６５が光ディスク６１の半径方向に移動する。
【００１６】
ＰＵＨ６５には、図示しないワイヤ或いは板バネによって支持された対物レンズ７０が設けられる。対物レンズ７０は駆動コイル７２の駆動によりフォーカシング方向（レンズの光軸方向）への移動が可能で、又駆動コイル７１の駆動によりトラッキング方向（レンズの光軸と直交する方向）への移動が可能である。
【００１７】
レーザ制御回路８６内の変調回路７３は、情報記録時にホスト装置９４からインターフェース回路９３を介して供給されるユーザデータを例えば８−１４変調（ＥＦＭ）して、ＥＦＭデータを提供する。レーザ制御回路７５は情報記録時（マーク形成時）に、変調回路７３から供給されるＥＦＭデータに基づいて、書き込み用信号を半導体レーザ７９に提供する。半導体レーザ７９から発せられるレーザ光は、コリメータレンズ８０、ハーフプリズム８１、対物レンズ７０を介して光ディスク６１上に照射される。又、レーザ制御回路７５は情報読取り時に、前記書き込み信号より小さい読取り用信号をレーザダイオード７９に提供する。情報記録時及び情報再生時に、光ディスク６１からの反射光は、対物レンズ７０、ハーフプリズム８１、集光レンズ８２、およびシリンドリカルレンズ８３を通り、光検出器８４に導かれる。
【００１８】
光検出器８４は、例えば４分割形式の光検出セルから成り、ディスク６１の反射光を受光する。各光検出セルから出力される光検知信号はＲＦアンプ８５に出力される。ＲＦアンプ８５は４つの光検知セルからの信号を合成し、ジャストフォーカスからの誤差を示すフォーカスエラー信号ＦＥ、レーザ光のビームスポット中心とトラック中心との誤差を示すトラッキングエラー信号ＴＥ、及び光検知セル信号の全加算信号であるＲＦ信号を生成する。
【００１９】
フォーカスエラー信号ＦＥはフォーカシング制御回路８７に供給される。フォーカシング制御回路８７はフォーカスエラー信号ＦＥに応じてフォーカス制御信号ＦＣを生成する。フォーカス制御信号ＦＣはフォーカシング方向の駆動コイル７２に供給され、レーザ光が光ディスク６１の記録面上に常時ジャストフォーカスとなるフォーカスサーボが行われる。
【００２０】
トラッキングエラー信号ＴＥはトラッキング制御回路８８に供給される。トラッキング制御回路８８はトラッキングエラー信号ＴＥに応じてトラッキング制御信号ＴＣを生成する。トラッキング制御信号ＴＣはトラッキング方向の駆動コイル７２に供給され、レーザ光が光ディスク６１上に形成されたトラック上を常にトレースするトラッキングサーボが行われる。
【００２１】
上記フォーカスサーボおよびトラッキングサーボがなされることで、光検出器８４の各光検出セルの出力信号の全加算信号ＲＦには、光ディスク６１のトラック上に形成されたピットなどからの反射光の変化が反映される。この信号は、データ再生回路７８に供給される。データ再生回路７８は、チャネルクロック生成回路７６からの再生用クロック信号に基づき、記録データを再生する。
【００２２】
上記トラッキング制御回路８８によって対物レンズ７０が制御されているとき、スレッドモータ制御回路６８により、対物レンズ７０がＰＵＨ６５内の所定位置近傍に位置するようスレッドモータ６６つまりＰＵＨ６５の位置が制御される。
【００２３】
モータ制御回路６４、スレッドモータ制御回路６８、レーザ制御回路７３、チャネルクロック生成回路７６、データ再生回路７８、フォーカシング制御回路８７、トラッキング制御回路８８、エラー訂正回路６２等は、バス８９を介してＣＰＵ９０によって制御される。ＣＰＵ９０はインターフェース回路９３を介してホスト装置９４から提供される動作コマンドに従って、この記録再生装置を総合的に制御する。又ＣＰＵ９０は、ＲＡＭ９１を作業エリアとして使用し、ＲＯＭ９２に記録されたプログラムに従って所定の動作を行う。ホスト装置９４は、例えば本光ディスク装置を内蔵するシステムのＣＰＵを示す。
【００２４】
図２は、本発明によるチャネルクロック生成回路７６の一実施例を示すブロック図である。
【００２５】
光ディスクからの再生信号ＳＩＧは第１の位相比較器３５ａならびに第２の位相比較器３５ｂに入力される。この再生信号ＳＩＧは、ＲＦ信号を所定閾値に基づいてコンパレータ（図示されず）により２値化した信号である。
【００２６】
第１の位相比較器３５ａには、生成された第１のチャネルクロックＣＫ１も入力される。第１の位相比較器３５ａは、再生信号ＳＩＧと第１のチャネルクロックＣＫ１の位相を比較し、第１の位相誤差信号ＰＤＳ１を出力する。第１の位相誤差信号ＰＤＳ１は第１のループフィルタ３６ａに入力される。第１のループフィルタ３６ａは所定の周波数特性を有するフィルタで構成され、入力された第１の位相誤差信号ＰＤＳ１から第１のＶＣＯ制御信号ＶＣＳ１を生成する。第１のＶＣＯ制御信号ＶＣＳ１は第１の電圧制御発振器（ＶＣＯ）３７ａに入力される。
【００２７】
第１のＶＣＯ３７ａは、入力される第１のＶＣＯ制御信号ＶＣＳ１の電圧に比例した周波数をもつクロックを出力し、そのクロックは第１の分周器３８ａに入力される。また、第１の分周器３８ａには第１の分周比選択信号ＳＬＳ１が入力される。第１の分周器３８ａは第１の分周比選択信号ＳＬＳ１に応じて入力クロックを分周して第１のチャネルクロックＣＫ１を出力する。なお、第１の分周器３８ａは、分周比選択信号ＳＬＳ１が例えば”Ｈ”レベルの場合は１分周であり、”Ｌ”レベルの場合は２分周となる。
【００２８】
第２の位相比較器３５ｂには、再生信号ＳＩＧと共に、生成された第２のチャネルクロックＣＫ２も入力される。第２の位相比較器３５ｂは再生信号ＳＩＧと第２のチャネルクロックＣＫ２の位相を比較し、第２の位相誤差信号ＰＤＳ２を出力する。第２の位相誤差信号ＰＤＳ２は第２のループフィルタ３６ｂに入力される。
【００２９】
第２のループフィルタ３６ｂは所定の周波数特性をもつフィルタで構成され、入力された第２の位相誤差信号ＰＤＳ２から第２のＶＣＯ制御信号ＶＣＳ２を生成する。第２のＶＣＯ制御信号ＶＣＳ２は第２のＶＣＯ３７ｂに入力される。
【００３０】
第２のＶＣＯ３７ｂは、入力される第２のＶＣＯ制御信号ＶＣＳ２の電圧に比例した周波数をもつクロックを出力し、そのクロックは第２の分周器３８ｂに入力される。また、第２の分周器３８ｂには第２の分周比選択信号ＳＬＳ２が入力される。第２の分周器３８ｂは第２の分周比選択信号ＳＬＳ２に応じて入力クロックを分周して第２のチャネルクロックＣＫ２を出力する。なお、第２の分周器３８ｂは、分周比選択信号ＳＬＳ２が例えば”Ｈ”レベルの場合は１分周であり、”Ｌ”レベルの場合は２分周となる。
【００３１】
第１のチャネルクロックＣＫ１と第２のチャネルクロックＣＫ２はそれぞれ選択器４１に入力され、クロック選択信号ＳＬＳ３によりどちらか一方が選択されて出力される。選択器４１から出力されるクロック信号ＣＫ３は最終的に得られるチャネルクロックである。クロック選択信号ＳＬＳ３が例えば”Ｌ”レベルの場合は第１のチャネルクロックＣＫ１が選択され、”Ｈ”レベルの場合は第２のチャネルクロックＣＫ２が選択される。
【００３２】
選択信号ＳＬＳ１〜ＳＬＳ３は制御器４０から出力される。制御器４０はチャネルレート検出器３９で検出されるチャネルレート検出値に応じて、分周比選択信号ＳＬＳ１、分周比選択信号ＳＬＳ２、クロック選択信号ＳＬＳ３を生成する。
【００３３】
チャネルレート検出器３９は例えば再生信号ＳＩＧよりチャネルレート（周波数）を検出する。なお、チャネルレートは再生しているディスク半径位置とディスク回転数の関係から求めても良く、また生成したチャネルクロックの周波数から検出しても良く、ＶＣＯ制御電圧から検出しても良い。
【００３４】
図３は、再生信号ＳＩＧのチャネルレート推移に伴うクロック生成回路の状態遷移の一例を示す図である。
【００３５】
ＣＫ１Ｆ２はＶＣＯ３７ａの出力信号を２分周した周波数範囲を、ＣＫ２Ｆ２はＶＣＯ３７ｂの出力信号を２分周した周波数範囲を、ＣＫ１Ｆ１はＶＣＯ３７ａの出力信号を１分周した周波数範囲を、ＣＫ２Ｆ１はＶＣＯ３７ｂの出力信号を１分周した周波数範囲を示す。
【００３６】
ＶＣＯ３７ａの発振範囲ＣＫ１Ｆ１の下限周波数をＦ４、上限周波数をＦ８とする。分周器３８ａで２分周後の発振範囲ＣＫ１Ｆ２の下限周波数をＦ０、上限周波数をＦ４とする。ＶＣＯ３７ｂの発振範囲ＣＫ２Ｆ１の下限周波数をＦ６、上限周波数をＦ１０とする。分周器３８ｂで２分周後の発振範囲ＣＫ２Ｆ２の下限周波数をＦ２、上限周波数をＦ６とする。
【００３７】
制御器４０は次の条件で、分周比選択信号ＳＬＳ１、分周比選択信号ＳＬＳ２、クロック選択信号ＳＬＳ３を生成する。
【００３８】
（１）チャネルレートがＦ４より大きい場合、分周比選択信号ＳＬＳ１として”Ｈ”を出力し、そうでない場合は”Ｌ”を出力する。
【００３９】
（２）チャネルレートがＦ６より大きい場合、分周比選択信号ＳＬＳ２として”Ｈ”を出力し、そうでない場合は”Ｌ”を出力する。
【００４０】
（３）チャネルレートがＦ３より大でＦ５より小及びＦ７より大きい場合、クロック選択信号ＳＬＳ３として”Ｈ”を出力し、そうでない場合は”Ｌ”を出力する。
【００４１】
次に、分周比選択信号ＳＬＳ１、分周比選択信号ＳＬＳ２、クロック選択信号ＳＬＳ３の状態を、ディスクを最内周から最外周へ再生した場合を例に図３を用いて説明する。ディスク最内周におけるチャネルレートをＦ１とし、最外周におけるチャネルレートをＦ９とする。
【００４２】
まず最内周再生時は状態Ｓ０にある。状態Ｓ０ではＶＣＯ３７ａを２分周したクロックがチャネルクロックＣＫ３として使われる。チャネル周波数が徐々に高まっていき、Ｆ３近傍になると状態はＳ０からＳ１に遷移する。状態Ｓ１ではＶＣＯ３７ｂを２分周したクロックがチャネルクロックＣＫ３として使われる。さらにチャネル周波数が高まっていき、Ｆ５近傍になると状態はＳ１からＳ２に遷移する。状態Ｓ２ではＶＣＯ３７ａを１分周したクロックがチャネルクロックＣＫ３として使われる。さらにチャネル周波数が高まっていき、Ｆ７近傍になると状態はＳ２からＳ３に遷移する。状態Ｓ３ではＶＣＯ３７ｂを１分周したクロックがチャネルクロックＣＫ３として使われる。
【００４３】
発振範囲ＣＫ１Ｆ２と発振範囲ＣＫ２Ｆ２の重複領域Ｆ２〜Ｆ４、発振範囲ＣＫ２Ｆ２と発振範囲ＣＫ１Ｆ１の重複領域Ｆ４〜Ｆ６、発振範囲ＣＫ１Ｆ１と発振範囲ＣＫ２Ｆ１の重複領域Ｆ６〜Ｆ８、又は少なくとも状態が遷移する周波数Ｆ３、Ｆ５、Ｆ７の近傍では、クロックＣＫ１及びＣＫ２は共に再生信号ＳＩＧに位相同期しており、選択器４１で何れを選択しても、再生信号ＳＩＧに位相同期した所望のチャネルクロックＣＫ３が得られる。従って、ＣＡＶ再生において最内周から最外周までを間断なくチャネルクロックを得ることができる。
【００４４】
尚、各重複領域の幅は、チャネルレート検出器３９の精度に依存する。つまり、チャネルレート検出器３９の周波数検出精度が高い場合、各重複領域の幅は狭くて良く、周波数検出精度が低いほど、各重複領域の幅を広くする必要がある。
【００４５】
本実施例では図３の如く、ＶＣＯ３７ｂの発振範囲Ｆ１０〜Ｆ６と、ＶＣＯ３７ａの発振範囲Ｆ８〜Ｆ４が概ね同じであり、ＶＣＯ３７ｂの発振下限のＦ６が概ねＶＣＯ３７ａの発振範囲中心であり、ＶＣＯ３７ａの発振上限のＦ８が概ねＶＣＯ３７ｂの発振範囲中心となるようにＶＣＯ３７ａ及びＶＣＯ３７ｂの発振範囲が設定されている。
【００４６】
図４は、再生信号ＳＩＧのチャネルレート推移に伴うクロック生成回路の他の状態遷移の一例を示す図である。図４の例では、ＶＣＯ３７ａ及び３７ｂの発振範囲が、共に図３の場合より狭く、発振範囲の重複領域もそれぞれ狭い。本実施例の動作は、図３の実施例と同様であるので割愛する。
【００４７】
図４において、発振範囲ＣＫ１Ｆ２と発振範囲ＣＫ２Ｆ２の重複領域Ｆ２〜Ｆ３、発振範囲ＣＫ２Ｆ２と発振範囲ＣＫ１Ｆ１の重複領域Ｆ４〜Ｆ５、発振範囲ＣＫ１Ｆ１と発振範囲ＣＫ２Ｆ１の重複領域Ｆ６〜Ｆ７、又は少なくとも状態が遷移する周波数Ｆ２１、Ｆ４５、Ｆ６７の近傍では、クロックＣＫ１及びＣＫ２は共に再生信号ＳＩＧに位相同期しており、選択器４１で何れを選択しても、再生信号ＳＩＧに位相同期した所望のチャネルクロックＣＫ３が得られる。従って、ＣＡＶ再生において最内周から最外周までを間断なくチャネルクロックを得ることができる。
【００４８】
図５は本発明によるクロック生成回路の第２実施例の構成を示す図である。第２実施例に係るクロック生成回路は、上記第１実施例に比べ、分周器が設けられておらず、ＶＣＯ３７ａ及び３７ｂの発振範囲が、共に図３の第１実施例の場合より広い。
【００４９】
図６は第２実施例に係るクロック生成回路の状態遷移図である。ＣＫ１ＦはＶＣＯ３７ａの発振範囲、ＣＫ２ＦはＶＣＯ３７ｂの発振範囲である。ディスクを最内周から最外周へ再生した場合、状態は周波数Ｆ５でＳ０からＳ１へ遷移する。
【００５０】
発振範囲の重複領域Ｆ４〜Ｆ６、又は少なくとも状態が遷移する周波数Ｆ５の近傍では、クロックＣＫ１及びＣＫ２は共に再生信号ＳＩＧに位相同期しており、選択器４１で何れを選択しても、再生信号ＳＩＧに位相同期した所望のチャネルクロックＣＫ３が得られる。
【００５１】
以上の説明はこの発明の実施の形態であって、この発明の装置及び方法を限定するものではなく、様々な変形例を容易に実施することができる。又、各実施形態における構成要素、機能、特徴あるいは方法ステップを適宜組み合わせて構成される装置又は方法も本発明に含まれるものである。
【図面の簡単な説明】
【００５２】
【図１】本発明が適用される光ディスク装置の構成例を示すブロック図である。
【図２】本発明によるチャネルクロック生成回路７６の一実施例を示すブロック図である。
【図３】再生信号ＳＩＧのチャネルレート推移に伴うクロック生成回路の状態遷移の一例を示す図である。
【図４】再生信号ＳＩＧのチャネルレート推移に伴うクロック生成回路の他の状態遷移の一例を示す図である。
【図５】本発明によるクロック生成回路の第２実施例の構成を示す図である。
【図６】本発明の第２実施例に係るクロック生成回路の状態遷移図である。
【符号の説明】
【００５３】
６１…光ディスク、６３…スピンドルモータ、７０…対物レンズ、７１、７２…レンズ駆動コイル、７９…レーザダイオード、８０…コリメータレンズ、８１…ハーフプリズム、８２…集光レンズ、８３…シリンドリカルレンズ、３５ａ、３５ｂ…位相比較器、３６ａ、３６ｂ…ループフィルタ、３７ａ、３７ｂ…電圧制御発振器、４１…選択器、３９…チャネルレート検出器、４０…制御器
【図１】
2007035096.tif 000003
【図２】
2007035096.tif 000004
【図３】
2007035096.tif 000005
【図４】
2007035096.tif 000006
【図５】
2007035096.tif 000007
【図６】
2007035096.tif 000008